(57)【要約】オブジェクトにマスクを適用する画像処理装置１１０であって、画像１２２を取得するための入力部１２０と、（ｉ）前記画像内の前記オブジェクトを検出し、（ｉｉ）出力画像６０を取得するために、前記画像内の前記オブジェクトに前記マスクを適用するためのプロセッサ１３０と、を備え、前記プロセッサは、（ｊ）前記オブジェクトのオブジェクト輪郭を設定し、（ｊｊ）前記オブジェクト輪郭に基づいて、前記オブジェクトよりも小さなマスクを生成し、（ｊｊｊ）前記オブジェクトの境界領域を明瞭に保ったまま前記オブジェクトのボディをマスクするために前記オブジェクトを覆うように前記マスクを配置することにより、前記オブジェクトに前記マスクを適用するよう構成されている、画像処理装置。
2015504560.tif 000002
【特許請求の範囲】
【請求項１】
オブジェクトにマスクを適用する画像処理装置であって、
画像を取得するための入力部と、
（ｉ）前記画像内の前記オブジェクトを検出し、（ｉｉ）出力画像を取得するために、前記画像内の前記オブジェクトに前記マスクを適用するためのプロセッサと、
を備え、
前記プロセッサは、（ｊ）前記オブジェクトのオブジェクト輪郭を設定し、（ｊｊ）前記オブジェクト輪郭に基づいて、前記オブジェクトよりも小さなマスクを生成し、（ｊｊｊ）前記オブジェクトの境界領域を明瞭に保ったまま前記オブジェクトのボディをマスクするために前記オブジェクトを覆うように前記マスクを配置することにより、前記オブジェクトに前記マスクを適用するよう構成されている、画像処理装置。
【請求項２】
前記プロセッサは、前記マスクのマスク輪郭を取得するために、前記オブジェクトの内側方向に沿って前記オブジェクト輪郭のサイズを小さくすることにより、前記マスクを生成するよう構成されている、請求項１記載の画像処理装置。
【請求項３】
前記プロセッサは、モルフォロジカルエロージョン技術を前記オブジェクト輪郭に対して適用することにより、前記オブジェクト輪郭のサイズを小さくするよう構成されている、請求項２記載の画像処理装置。
【請求項４】
前記プロセッサは、前記オブジェクトと該オブジェクトの周囲との間の段階的変化を構成するオブジェクト勾配を前記画像内で検出して、前記マスクと前記オブジェクト勾配との間の前記オブジェクトの前記境界領域、及び前記オブジェクト勾配を明瞭に保つよう構成されている、請求項１記載の画像処理装置。
【請求項５】
前記プロセッサは、ディスプレイ上に前記出力画像を表示する場合、２ｍｍ〜１０ｍｍの表示幅を有する前記オブジェクトの前記境界領域を設定するよう構成されている、請求項１記載の画僧処理装置。
【請求項６】
ユーザが前記出力画像を拡大縮小するためのズーム率を決定できるようにするユーザ入力部
をさらに備え、
前記プロセッサは、前記ズーム率に基づいてディスプレイ上に前記出力画像を表示する場合において前記オブジェクトの前記境界領域の表示幅を維持するために、前記ズーム率に基づいて前記マスクを生成するよう構成されている、請求項１記載の画像処理装置。
【請求項７】
前記プロセッサは、前記マスクと前記オブジェクトとの間で段階的変化を設定するために、前記オブジェクトに前記マスクを適用する場合において、前記出力画像内でマスク勾配を生成するよう構成されている、請求項１記載の画像処理装置。
【請求項８】
前記プロセッサは、前記マスクの境界領域を前記オブジェクトとブレンドすることにより、前記マスク勾配を生成するよう構成されている、請求項７記載の画像処理装置。
【請求項９】
前記プロセッサは、（ｉ）前記オブジェクトと該オブジェクトの周囲との間の段階的変化を構成するオブジェクト勾配を前記画像内で検出し、（ｉｉ）前記出力画像内で前記オブジェクト勾配と前記マスク勾配とを視覚的に区別するために前記オブジェクト勾配とは幅及び／又は形状が異なる前記マスク勾配を生成するよう構成されている、請求項７記載の画像処理装置。
【請求項１０】
ユーザが前記マスク勾配の前記幅及び／又は前記形状を決定できるようにするユーザ入力部
をさらに備えた、請求項７記載の画像処理装置。
【請求項１１】
前記プロセッサは、前記オブジェクトの前記ボディの輝度及び／又はコントラストを低減することにより、前記オブジェクトの前記ボディをマスクするよう構成されている、請求項１記載の画像処理装置。
【請求項１２】
請求項１記載の画像処理装置を備えたワークステーション。
【請求項１３】
請求項１記載の画像処理装置を備えたイメージング装置。
【請求項１４】
オブジェクトにマスクを適用する方法であって、
画像を取得するステップと、
前記画像内の前記オブジェクトを検出するステップと、
出力画像を取得するために、（ｊ）前記オブジェクトのオブジェクト輪郭を設定し、（ｊｊ）前記オブジェクト輪郭に基づいて、前記オブジェクトよりも小さなマスクを生成し、（ｊｊｊ）前記オブジェクトの境界領域を明瞭に保ったまま前記オブジェクトのボディをマスクするために前記オブジェクトを覆うように前記マスクを配置することにより、前記画像内の前記オブジェクトに前記マスクを適用するステップと、
を含む、方法。
【請求項１５】
プロセッサシステムに請求項１４記載の方法を実行させるための命令を含むコンピュータプログラム。
【発明の詳細な説明】
【技術分野】
【０００１】
本発明は、画像内のオブジェクトにマスクを適用する画像処理装置及び方法に関する。本発明は、さらに、前述の画像処理装置を備えたワークステーション及びイメージング装置に関し、プロセッサシステムに前述の方法を実行させるコンピュータプログラム製品に関する。
【背景技術】
【０００２】
画像評価及び画像表示の分野において、画像内のオブジェクトをマスクすることが望ましい場合がある。この理由は、マスクしなければ、ユーザが、画像を見るときに、オブジェクトによって、気を取られたり、妨げられたりする場合があるからである。オブジェクトをマスクすることによって、画像内のオブジェクトの可視性が低減する。結果として、ユーザは、例えば、別のオブジェクト又はそのオブジェクトの隣接する領域といった画像内の他の領域に、より容易に注意を向けることができる。
【０００３】
画像内のオブジェクトを自動的にマスクすることが知られている。例えば、特許文献１は、医用画像内の人工オブジェクトの体裁を変更するためのシステム及び方法を開示している。マンモグラフィ画像内の乳房インプラントを特定するなど、人工オブジェクトが医用画像内において初めに特定される。次いで、例えば、輝度を低減する、あるいは人工オブジェクトを全てマスクすることによって、人工オブジェクトのプロミネンスが低減される。次いで、変更された人工オブジェクトを含む結果として得られた医用画像がユーザに表示される。それにより、ユーザ自身が画像を調節しなくとも、医用画像をより正確に解析することが可能となる。
【先行技術文献】
【特許文献】
【０００４】
【特許文献１】米国特許出願公開第２０１１／０１２３０７４号明細書
【発明の概要】
【発明が解決しようとする課題】
【０００５】
前述のシステム及び方法の問題は、ユーザが、オブジェクトの自動的なマスキングが間違っていたかどうかを判断することが困難であることである。
【課題を解決するための手段】
【０００６】
ユーザが、オブジェクトの自動的なマスキングが間違っていたかどうかをより容易に判断することを可能にする、改良された装置又は方法を有することは有用であろう。
【０００７】
この問題により良く対処するため、本発明の第１の側面は、オブジェクトにマスクを適用する画像処理装置を提供する。本画像処理装置は、画像を取得するための入力部と、（ｉ）前記画像内の前記オブジェクトを検出し、（ｉｉ）出力画像を取得するために、前記画像内の前記オブジェクトに前記マスクを適用するためのプロセッサと、を備え、前記プロセッサは、（ｊ）前記オブジェクトのオブジェクト輪郭（object  contour）を設定し、（ｊｊ）前記オブジェクト輪郭に基づいて、前記オブジェクトよりも小さなマスクを生成し、（ｊｊｊ）前記オブジェクトの境界領域を明瞭に保ったまま前記オブジェクトのボディ（body）をマスクするために前記オブジェクトを覆うように前記マスクを配置することにより、前記オブジェクトに前記マスクを適用するよう構成されている。
【０００８】
本発明のさらなる側面において、前述の画像処理装置を備えたワークステーション及びイメージング装置が提供される。
【０００９】
本発明のさらなる側面において、オブジェクトにマスクを適用する方法が提供される。本方法は、画像を取得するステップと、前記画像内の前記オブジェクトを検出するステップと、出力画像を取得するために、（ｊ）前記オブジェクトのオブジェクト輪郭を設定し、（ｊｊ）前記オブジェクト輪郭に基づいて、前記オブジェクトよりも小さなマスクを生成し、（ｊｊｊ）前記オブジェクトの境界領域を明瞭に保ったまま前記オブジェクトのボディをマスクするために前記オブジェクトを覆うように前記マスクを配置することにより、前記画像内の前記オブジェクトに前記マスクを適用するステップと、を含む。
【００１０】
本発明のさらなる側面において、プロセッサシステムに前述の方法を実行させるための命令を含むコンピュータプログラム製品が提供される。
【００１１】
入力部は、オブジェクトを含む画像を取得する。結果として、画像が表示される場合、オブジェクトがユーザに見えるものとなる。プロセッサは、画像内のオブジェクトを検出し、オブジェクトにマスクを適用する。マスクは、画像内のオブジェクトの可視性を低減するよう意図されている画像データである。オブジェクトにマスクを適用することにより、マスクの画像データが、オブジェクトの画像データを覆うように挿入されるか、あるいは、オブジェクトの画像データの可視性に影響を与える。結果として、出力画像が表示される場合、出力画像内のオブジェクトの可視性は低減される。プロセッサは、次のようにオブジェクトにマスクを適用するよう構成されている。初めに、オブジェクトの外形が決定される。外形は、オブジェクトのサイズを示す。
【００１２】
オブジェクトの外形に基づいて、オブジェクトよりも小さなマスクが生成される。結果として、マスクは、オブジェクト全てを覆わない。最後に、オブジェクトの境界領域が目に見えるよう保たれる一方で、オブジェクトのバルク（bulk）がマスクにより覆われるように、マスクがオブジェクトを覆うように配置される。結果として、出力画像内のオブジェクトのバルクの可視性は低減されるのに対し、オブジェクトの境界領域の可視性は影響を受けない。
【００１３】
オブジェクトの境界領域を明瞭に保ったままオブジェクトのボディをマスクすることにより、オブジェクトのバルクの可視性が低減されるので、ユーザは、オブジェクトにより、気を取られたり、妨げられたりされにくくなる。しかしながら、オブジェクトの境界領域は、明瞭に保たれたままであるため、その可視性は低減されないか、あるいはそうでなければ、オブジェクトにマスクを適用した結果、変更される。
【００１４】
本発明は、画像内のオブジェクトの自動的なマスキングをユーザが得ることは都合がよいが、オブジェクトの自動的なマスキングは、例えば、オブジェクトを正しく検出できないことにより間違ったものになり得るという認識に部分的に基づく。結果として、マスクは、ユーザに関連し得る、オブジェクトの隣接領域を覆う場合がある。発明者らは、ユーザが出力画像を見ている場合において、ユーザが通常、オブジェクトの自動的なマスキングが間違っていたかどうかを判断することができず、そのため、オブジェクトの隣接領域が覆われていたかどうかを判断することができないことを認識した。この理由は、マスクがオブジェクトに正しく適用されているかどうかを判断することが、オブジェクトのマスキングにより可視性が低減されているオブジェクトによって現在妨げられている、マスクをオブジェクトと比較することを伴うからである。
【００１５】
オブジェクトの自動的なマスキングにおいてオブジェクトの境界領域を明瞭に保つことにより、ユーザは、オブジェクトの境界領域を見ることで、オブジェクトの隣接領域が覆われないようにマスクが適用されていると推測することができる。同様に、オブジェクトの境界領域が目に見えない場合、ユーザは、オブジェクトの自動的なマスキングが間違っており、そのため、オブジェクトの隣接領域が覆われていると推測することができる。さらに、オブジェクトのボディはマスクされ、したがって、その可視性は低減されるので、マスキングの効果は、一般に維持される。
【００１６】
有利なことに、オブジェクトの隣接領域における関連情報が維持される。有利なことに、オブジェクトの境界領域における関連情報が維持される。有利なことに、ユーザは、自動的なマスキングが間違っていたかどうかを出力画像から推測することができることを知っているので、オブジェクトの自動的なマスキングに依拠する可能性がより高くなる。有利なことに、オブジェクトの隣接領域が覆われる結果になり得る自動的なマスキングにおける間違いが、ユーザによって容易に気付かれるものなので、オブジェクトの自動的なマスキングが、１００％信頼できる必要はない。有利なことに、画像が医用画像である場合、オブジェクトの境界領域における診断情報は、影響を受けないままである、すなわち、マスクされない。
【００１７】
任意的に、プロセッサは、マスクのマスク輪郭（mask  contour）を取得するために、オブジェクトの内側方向に沿ってオブジェクト輪郭のサイズを小さくすることにより、マスクを生成するよう構成される。内側方向にオブジェクト輪郭のサイズを小さくすることにより、マスク輪郭は、オブジェクト輪郭よりもサイズが小さいが、オブジェクト輪郭と同様に成形される。したがって、マスクは、オブジェクト輪郭内部にフィットする。結果として、マスクが、オブジェクトを覆う適切な位置に配置される場合、オブジェクトの境界領域は、自動的に明瞭に保たれる。
【００１８】
任意的に、プロセッサは、モルフォロジカルエロージョン技術（morphological  erosion  technique）をオブジェクト輪郭に対して適用することにより、オブジェクト輪郭のサイズを小さくするよう構成される。モルフォロジカルエロージョン技術は、オブジェクト輪郭のサイズを小さくするのに、特によく適している。
【００１９】
任意的に、プロセッサは、オブジェクトとオブジェクトの周囲との間の段階的変化（gradual  transition）を構成するオブジェクト勾配（object  gradient）を画像内で検出して、マスクとオブジェクト勾配との間のオブジェクトの境界領域、及びオブジェクト勾配を明瞭に保つよう構成される。画像内におけるオブジェクトとオブジェクトの周囲との間の変化は、段階的変化であり得る。したがって、オブジェクトの輪郭は、非常に細い線によって構成されるのではなく、前述の段階的変化に対応する画像内の領域によって構成される。この理由は、画像を取得する際に使用されるイメージング装置の解像度が、例えば、検出器要素の制限されたサイズに起因して、制限され得るからである。オブジェクト勾配は、オブジェクトにも、オブジェクトの周囲にも完全には対応せず、オブジェクトとオブジェクトの周囲との間の段階的変化となる。したがって、オブジェクトの境界領域は、オブジェクト勾配の内側に位置する。オブジェクト勾配は、ユーザの関連情報を含む。オブジェクト勾配を検出することにより、画像内のどの場所に、オブジェクトとオブジェクトの周囲との間の段階的変化が位置するかが知られる。したがって、オブジェクトの境界領域、及び、オブジェクト勾配がともに明瞭に保たれる。
【００２０】
任意的に、プロセッサは、ディスプレイ上に出力画像を表示する場合、２ｍｍ〜１０ｍｍの表示幅（displayed  width）を有するオブジェクトの境界領域を設定するよう構成される。したがって、プロセッサは、出力画像を表示するために使用されるディスプレイ上で測定される場合において２ｍｍ〜１０ｍｍの幅を有するオブジェクトの境界領域を設定するよう構成される。このような範囲は、ユーザに見えるように十分に大きなオブジェクトの境界領域を示すことと、オブジェクトの全体的な可視性を低減するためにオブジェクトの大きな部分をマスクすることとの間の、適切な調整を構成する。
【００２１】
任意的に、本画像処理装置は、ユーザが出力画像を拡大縮小するためのズーム率（zoom  factor）を決定できるようにするユーザ入力部をさらに備え、プロセッサは、ズーム率に基づいてディスプレイ上に出力画像を表示する場合においてオブジェクトの境界領域の表示幅を維持するために、ズーム率に基づいてマスクを生成するよう構成される。出力画像を拡大縮小することは、通常、表示幅の構造が、ズーム率に比例して増大又は減少することをもたらす。これは、境界領域にとって望ましくない。例えば、出力画像が縮小される場合、境界領域がもはやユーザに明瞭に見えないように、境界領域の表示幅は減少し得る。同様に、出力画像が拡大される場合、境界領域の表示幅は、不必要に大きくなり得、境界領域によって、ユーザが気を取られたり、妨げられたりする結果となる。ズーム率を使用して、境界領域の表示幅を、例えば、一定値、又は制限された範囲内に維持することにより、拡大縮小の結果、境界領域がもはやユーザに明瞭に見えなくなること、又は、境界領域が不必要に大きくなることが避けられる。
【００２２】
任意的に、プロセッサは、マスクとオブジェクトとの間で段階的変化を設定するために、オブジェクトにマスクを適用する場合において、出力画像内でマスク勾配（mask  gradient）を生成するよう構成される。したがって、出力画像において、マスクとオブジェクトとの間に、段階的変化が導入される。有利なことに、ユーザは、出力画像におけるオブジェクトとマスクとの間の鋭い変化によって、気を取られたり、妨げられたりされない。
【００２３】
任意的に、プロセッサは、マスクの境界領域をオブジェクトとブレンドすることにより、マスク勾配を生成するよう構成される。マスクの境界領域をオブジェクトとブレンドすることは、マスク勾配を生成するのに、特によく適している。
【００２４】
任意的に、プロセッサは、（ｉ）オブジェクトとオブジェクトの周囲との間の段階的変化を構成するオブジェクト勾配を画像内で検出し、（ｉｉ）出力画像内でオブジェクト勾配とマスク勾配とを視覚的に区別するためにオブジェクト勾配とは幅及び／又は形状が異なるマスク勾配を生成するよう構成される。したがって、ユーザは、オブジェクト勾配とマスク勾配とを視覚的に区別することができる。有利なことに、ユーザは、マスク勾配をオブジェクト勾配と間違って識別する可能性が低い。有利なことに、ユーザは、出力画像の合成によって導入された部分を容易に識別するよう、出力画像内のマスク勾配を容易に識別することができる。
【００２５】
任意的に、本画像処理装置は、ユーザがマスク勾配の幅及び／又は形状を決定できるようにするユーザ入力部をさらに備える。したがって、ユーザは、手動で、マスク勾配の幅及び／又は形状を決定することができる。
【００２６】
任意的に、プロセッサは、オブジェクトのボディの輝度及び／又はコントラストを低減することにより、オブジェクトのボディをマスクするよう構成される。オブジェクトのボディの輝度及び／又はコントラストを低減することにより、オブジェクトのボディの可視性が低減されるとともに、オブジェクトのボディに含まれるエッジなど、オブジェクトのボディに関する視覚的情報がなお提供される。有利なことに、ユーザは、オブジェクトのボディがマスクされているにもかかわらず、オブジェクトを識別することができる。
【００２７】
本発明の上述の実施形態、実施例、及び／又は態様の二つ以上が、有用とみなされる任意の方法で組み合され得ることが当業者により理解されよう。
【００２８】
画像処理装置の上記修正及び変更に対応するワークステーション、イメージング装置、方法、及び／又はコンピュータプログラム製品の修正及び変更は、本記載に基づいて当業者により実行することができる。
【００２９】
当業者は、本方法が、例えば、２次元（２−Ｄ）、３次元（３−Ｄ）、又は４次元（４−Ｄ）画像などの多次元画像データに適用され得ることを理解されたい。多次元画像データのディメンジョンは、時間に関係し得る。例えば、３次元画像は、時間ドメインシリーズの２次元画像を含み得る。画像は、標準Ｘ線イメージング、コンピュータ断層撮影（ＣＴ）、磁気共鳴イメージング（ＭＲＩ）、超音波（ＵＳ）、陽電子放出断層撮影（ＰＥＴ）、単一光子放射断層撮影（ＳＰＥＣＴ）、及び核医学（ＮＭ）などの様々な取得モダリティによって取得される医用画像であってよいが、取得モダリティは、これらに限定されるものではない。しかしながら、画像は、例えば、地質学的画像又は天体物理学的画像など、任意の他の種類であってもよい。
【００３０】
本発明は、独立請求項において定められる。有利な実施形態は、従属請求項において定められる。
【００３１】
本発明のこれらの側面及び他の側面が、本明細書において説明する実施形態から明らかになり、同実施形態を参照すると明瞭になるであろう。
【図面の簡単な説明】
【００３２】
【図１】本発明に従った、出力画像を表示するディスプレイに接続された画像処理装置を示す図。
【図２】本発明に従った方法を示す図。
【図３】本発明に従ったコンピュータプログラム製品を示す図。
【図４ａ】マスクされるオブジェクトを含む画像を示す図。
【図４ｂ】オブジェクトが完全にマスクされている出力画像を示す図。
【図５ａ】オブジェクトの境界領域を明瞭に保つために、本発明に従ってオブジェクトがマスクされている出力画像を示す図。
【図５ｂ】拡大後の図５ａの出力画像を示す図。
【図６ａ】輝度を低減することによりマスクされているオブジェクトのボディを示す図。
【図６ｂ】マスク輪郭を示す図６ａの切抜図。
【図７ａ】各々がオブジェクトを含む４つの医用画像を示す図。
【図７ｂ】本発明に従ってマスクされているオブジェクトを示す図。
【図８ａ】オブジェクト輪郭を示す図７ａの切抜図。
【図８ｂ】オブジェクトの境界領域を明瞭に保つために、本発明に従ってマスクされているオブジェクトを示す図７ｂの切抜図。
【図９】図８ｂに示される線分に沿った位置の関数として強度をプロットした図であって、プロットはオブジェクトの境界領域を示す図。
【発明を実施するための形態】
【００３３】
図１は、オブジェクトにマスクを適用する画像処理装置１１０（以降、装置１１０と称す。）を示している。装置１１０は、画像１２２を取得するための入力部１２０を備える。入力部１２０は、例えば、送信機から画像１２２を受信することにより、装置１１０の外部から画像１２２を取得してもよいし、又は、例えば、内部データベースから画像１２２を取得することにより、装置１１０の内部から画像１２２を取得してもよい。装置１１０は、画像１２２内のオブジェクトにマスクを適用するためのプロセッサ１３０をさらに備える。画像１２２をプロセッサ１３０に提供するために、入力部１２０は、プロセッサ１３０に接続されるよう、示されている。さらに、出力画像１６０をディスプレイ１５０に提供するために、装置１１０は、ディスプレイ１５０に接続されるよう、示されている。ディスプレイ１５０は、外部ディスプレイとして、すなわち、装置１１０の一部ではないものとして示されている。代替として、ディスプレイ１５０は、装置１１０の一部であってもよい。装置１１０及びディスプレイ１５０はともに、システム１００を形成することができる。
【００３４】
装置１１０は、ユーザから選択データ（selection  data）１４４を取得するためのユーザ入力部１４０をさらに備えることができる。そのため、ユーザ入力部１４０は、マウス、キーボード、タッチスクリーンなどのユーザインタフェース手段（図１には示されていない）に接続することができ、ユーザインタフェース手段を介してユーザからユーザインタフェースコマンド１４２を受信する。
【００３５】
図２は、オブジェクトにマスクを適用する方法２００を示している。方法２００は、「画像を取得する」という表題の第１ステップにおいて、画像を取得するステップ２１０を含む。方法２００は、「オブジェクトを検出する」という表題の第２ステップにおいて、画像内のオブジェクトを検出するステップ２２０をさらに含む。方法２００は、「マスクを適用する」という表題の第３ステップにおいて、出力画像を取得するために、画像内のオブジェクトにマスクを適用するステップ２３０をさらに含む。オブジェクトにマスクを適用するステップ２３０である第３ステップは、「オブジェクト輪郭を設定する」という表題の第１中間ステップにおいて、オブジェクトのオブジェクト輪郭を設定するステップ２４０を含む。第３ステップは、「マスクを生成する」という表題の第２中間ステップにおいて、オブジェクト輪郭に基づいて、オブジェクトよりも小さなマスクを生成するステップ２５０をさらに含む。第３ステップは、「マスクを配置する」という表題の第３中間ステップにおいて、オブジェクトの境界領域を明瞭に保ったままオブジェクトのボディをマスクするために、オブジェクトを覆うようにマスクを配置するステップ２６０をさらに含む。方法２００は、装置１１０の動作に対応し得る。以降では、装置１１０の動作を参照して、方法２００についてさらに説明する。しかしながら、方法２００は、例えば、異なる装置を用いることにより、装置１１０とは切り離して実行されてもよいことに留意されたい。
【００３６】
図３は、プロセッサシステムに本発明に従った方法を実行させるための命令を含むコンピュータプログラム製品２８０を示している。コンピュータプログラム製品２８０は、例えば、一連のマシン読み取り可能な物理的マーク、及び／又は、様々な電気的（例えば、磁気的）又は光学的特性若しくは値を有する一連の要素の形態で、コンピュータ読み取り可能な媒体２７０上に構成され得る。
【００３７】
図４ａ〜図９を参照して、装置１１０の動作について説明する。図４ａは、マスクされるオブジェクト１２４を含む画像１２２を示している。図４ｂは、マスク１７０により完全にマスクされているオブジェクト１２４を含む出力画像１６０を示している。マスク１７０は、図４ｂに概略的に示されるように、線模様によって示されている。オブジェクト１２４を覆うマスク１７０の結果、オブジェクト１２４は、その全体がもはや目に見えない。したがって、出力画像１６０を見ているユーザは、マスク１７０が、例えば、オブジェクト１２４の周囲など、画像１２２の追加の領域を覆っているか否かを判断することはできない。
【００３８】
図５ａは、オブジェクト１２４の境界領域１２６を明瞭に保つために、本発明に従ってオブジェクト１２４がマスクされている出力画像１６１を示している。境界領域１２６は、オブジェクト１２４の境界におけるゼロでない幅を有する領域として目に見える。出力画像１６１内のオブジェクト１２４の境界領域１２６を明瞭に保つために、プロセッサ１３０は、画像内のオブジェクト１２４を検出する。画像内のオブジェクト１２４を検出することは、画像分析及びオブジェクト検出の分野において本来知られているようなオブジェクト検出技術又はオブジェクトセグメンテーション技術を画像に対して適用することを含み得る。代替として、又は、追加的に、画像内のオブジェクト１２４を検出することは、以前に適用されたオブジェクト検出技術又はオブジェクトセグメンテーション技術から、位置結果又は検出結果を受け取ることを含んでもよい。プロセッサ１３０は、画像内のオブジェクト１２４を検出すると、次いで、画像内のオブジェクト１２４にマスク１７１を適用し、それにより、出力画像１６１を生成する。
【００３９】
オブジェクト１２４にマスク１７１を適用することは、初めにオブジェクト１２４のオブジェクト輪郭を設定することによって、実行される。オブジェクト輪郭は、画像内のオブジェクト１２４の外形に対応する。オブジェクト輪郭は、図５ａに示される例において、暗い背景と明るいオブジェクト１２４との間の鋭いエッジとして目に見える。オブジェクト輪郭は、画像内のオブジェクト１２４を検出することの一部として、プロセッサ１３０により設定されてもよい。しかしながら、オブジェクト輪郭を設定することは、プロセッサ１３０が別のステップを実行することを伴ってもよい。例えば、オブジェクト１２４を検出することは、例えば、シードロケーション（seed  location）などのオブジェクト１２４の中心を検出することを伴ってもよい。オブジェクト輪郭を設定することは、オブジェクト輪郭を取得するために、リージョングローイング技術（region  growing  technique）をシードロケーションに対して適用することを伴ってもよい。オブジェクト輪郭を設定することはまた、最低コスト円形路（lowest-cost  circular  path）を決定することを伴ってもよい。ここで、コストは、潜在的円形路を構成するエッジの強さ及び／又は量の逆数として定義される。
【００４０】
上記の技術は、画像分析及びオブジェクト検出の分野において本来知られていることを理解されたい。さらに、オブジェクト１２４を検出し且つ／又はオブジェクト輪郭を設定するために、上記分野における他の様々な技術が、効果的に使用され得ることに留意されたい。特に、画像内で検出されるオブジェクト１２４及び／又は設定されるオブジェクト輪郭に関する従前の知識は、効果的に使用され得る。例えば、前述の最低コスト円形路は、概ね円形形状であるオブジェクトの輪郭を設定するのによく適している。例えば、画像が乳房の医用画像である、すなわち、医用画像がマンモグラフィ画像であり、且つ、オブジェクト１２４が乳房インプラントである、すなわち、人工オブジェクトが患者に挿入されている場合、乳房インプラントは概ね円形であり、且つ、画像のサイドに主に位置するという知識を利用して、信頼性を向上させることができる。すなわち、オブジェクト１２４を検出し且つ／又はオブジェクト輪郭を設定する際の誤った結果を回避することができる。
【００４１】
プロセッサ１３０は、オブジェクト輪郭を設定すると、オブジェクト輪郭に基づいて、オブジェクト１２４よりも小さなマスク１７１を生成する。オブジェクト１２４よりも小さなマスク１７１を生成することは、オブジェクト１２４の内側方向に沿って、オブジェクト輪郭のサイズを小さくすることを含み得る。それにより、マスク１７１のマスク輪郭を取得する。オブジェクト輪郭のサイズを小さくすることは、オブジェクト１２４の内部に、オブジェクト輪郭からオブジェクト輪郭に対して局所的に直交する方向に所与の距離離れたマスク輪郭を設定することを含み得る。距離は、ピクセル単位であってよい。オブジェクト輪郭のサイズを小さくすることはまた、形態学的画像処理の分野において本来知られているようなモルフォロジカルエロージョン技術をオブジェクト輪郭に対して適用することを含んでもよい。
【００４２】
マスク輪郭を取得すると、例えば、輝度値、クロミナンス値、及び／又は不透明度値（opacity  value）といったマスク値をマスク輪郭に「与える（fill  in）」ことにより、マスク１７１自体を生成することができる。マスク値は、同一であってよい。結果として、マスクには、同一のマスク値を「与える」ことができる。上記の結果、例えば、装置１１０のメモリにおいて、マスク１７１の明示的な表現を取得することができる。しかしながら、マスク１７１は、例えば、マスク輪郭と、輝度値、クロミナンス値、及び／又は不透明度値といった単一のマスク値とによって規定されるように、黙示的に生成されてもよいことを理解されたい。
【００４３】
プロセッサ１３０は、マスク１７１を生成すると、オブジェクト１２４の境界領域１２６を明瞭に保ったままオブジェクト１２４のボディをマスクするために、オブジェクト１２４を覆うようにマスク１７１を配置する。その結果が図５ａに示されている。図５ａでは、オブジェクト１２４のボディ、すなわち、バルクがマスクされているのに対し、オブジェクト１２４の境界領域１２６は目に見えるままである。通常、オブジェクト１２４を覆うようにマスク１７１を配置することは、オブジェクト１２４に関して中央にマスク１７１を配置すること、すなわち、オブジェクト１２４の境界領域１２６が明瞭に保たれたままであるように、オブジェクト１２４の内部にマスク１７１をフィッティングすることを伴う。マスク輪郭が、オブジェクト輪郭のサイズを小さくすることにより取得される場合、マスク輪郭は、オブジェクト１２４のボディがマスクされ且つオブジェクト１２４の境界領域１２６が明瞭に保たれたままであるように、すでに配置されている。したがって、マスク１７１の位置決めは、マスク１７１を生成することの黙示的な一部分とすることができる。
【００４４】
図５ｂは、図５ａの出力画像１６１の拡大図を示している。ここで、この拡大は、装置１１０の動作に起因するものである、すなわち、図５ａを説明する目的のためではない。ユーザが出力画像１６１を拡大縮小することを可能にするため、ユーザ入力部１４０は、ユーザがズーム率を決定できるよう構成され得る。ユーザインタフェースコマンド１４２は、ズーム率を示すものであってよい。ズーム率は、ユーザ入力部１４０から、選択データ１４４の形態で、プロセッサ１３０により受信され得る。
【００４５】
一般に、プロセッサ１３０は、出力画像１６２をディスプレイ１５０上に表示する場合において、表示幅１８０を有するオブジェクト１２４の境界領域１２６を設定するよう構成され得る。表示幅１８０は、一定値であってもよいし、又は、制限された範囲内になるよう設定されてもよい。例えば、オブジェクト１２４の境界領域１２６は、２ｍｍ〜１０ｍｍの表示幅１８０を有するものとして設定されてもよい。表示幅１８０は、５ｍｍであってよい。ここで、表示幅１８０は、ディスプレイ１５０上で測定された場合における境界領域１２６の幅である。表示幅１８０は、通常、ユーザがディスプレイ１５０上で境界領域１２６を認識することを可能にする、且つ／又は、ユーザがオブジェクト輪郭をマスク輪郭とは分離されたものとして認識することを可能にする幅に対応する。表示幅１８０は、例えば、ディスプレイ１５０のサイズ、ディスプレイ１５０までのユーザの視距離などに依拠し得る。したがって、マスク１７１は、表示幅１８０を有するオブジェクト１２４の境界領域１２６を生じさせる量だけオブジェクト１２４よりも小さなものとして、生成することができる。プロセッサ１３０は、出力画像１６２内でピクセル幅（pixel  width）を有するオブジェクト１２４の境界領域１２６を設定するよう構成され得、ピクセル幅は、ディスプレイ１５０上の表示幅１８０に対応するよう以前に決定されたものであることを理解されたい。そのため、ピクセル幅と表示幅１８０との間の変換率（conversion  factor）は、例えば、出力画像１６２の解像度及びディスプレイ１５０のサイズの関数として、設定することができる。
【００４６】
プロセッサ１３０は、ズーム率に基づいてディスプレイ１５０上に出力画像１６２を表示する場合においてオブジェクト１２４の境界領域１２６の表示幅１８０を維持するために、ズーム率に基づいてマスク１７１を生成するよう構成され得る。上記の結果が、図５ａ及び図５ｂに示されている。図５ｂが図５ａの出力画像１６１の拡大図を示しているにも関わらず、図５ａ及び図５ｂの両方において、オブジェクト１２４の境界領域１２６の表示幅１８０は、概ね同一であるように示されている。その結果、プロセッサ１３０は、ズーム率ごとに、又は、ズーム率の十分に大きな変化ごとに、マスク１７１を動的に再生成するよう構成され得る。
【００４７】
プロセッサ１３０は、出力画像１６２が所定のしきい値を超えて縮小される場合において、オブジェクト１２４にマスク１７１を適用することを無効にするよう構成され得る。しきい値は、オブジェクト１２４がディスプレイ１５０上に表示される場合において所与のサイズ以下となるズーム率に対応し得る。所与のサイズにおいて、オブジェクト１２４は、もはやユーザを妨げるものとしてみなされない。したがって、オブジェクト１２４をマスクすることが無効にされ得る。さらに、一般に、プロセッサ１３０は、オブジェクト１２４がディスプレイ１５０上に表示される場合において所与のサイズ以下となるときに、オブジェクト１２４にマスク１７１を適用することを無効にするよう構成され得る。
【００４８】
図６ａは、オブジェクト１２４に適用されているマスク１７２の例を示している。ここで、プロセッサ１３０は、オブジェクト１２４のボディの輝度を低減することにより、オブジェクト１２４のボディをマスクするよう構成され得る。結果として、オブジェクト１２４の可視性は、輝度が低減されたオブジェクト１２４のボディに基づいて、低減される。オブジェクト１２４は、図４ａに示されたものと同種のものである。しかしながら、オブジェクト１２４が、エッジまたはテクスチャといった細部（detail）を含む場合、オブジェクト１２４のボディの輝度が低減しても、ユーザは、オブジェクト１２４のボディ内の細部をなお認識する場合がある。代替として、オブジェクト１２４のボディをマスクすることは、オブジェクト１２４のボディのピクセルが出力画像１６３におけるマスク１７２のピクセルによって置換されることを含んでもよい。その他の多くの種類のマスキングも効果的に使用できることを理解されたい。例えば、オブジェクト１２４のボディは、そのコントラストを低減することにより、マスクされてもよい。
【００４９】
図６ｂは、図６ａの切抜図を示している。切抜図は、図６ａを説明するためのものであることに留意されたい。したがって、切抜図は、図５ｂに示されるような、装置１１０の拡大動作には対応しない。そうではなく、図６ｂは、図６ａの部分１６４を大きくした図を単に示すに過ぎない。図６ｂにおいて、次の結果が明らかである。プロセッサ１３０は、マスク１７２とオブジェクト１２４との間で段階的変化を設定するために、オブジェクト１２４にマスク１７２を適用する場合において、出力画像１６３内でマスク勾配１７３を生成するよう構成され得る。その結果、図６ｂは、マスク１７２とオブジェクト１２４との間の段階的変化を示している。プロセッサ１３０は、マスク１７２の境界領域をオブジェクトとブレンドすることにより、マスク勾配１７３を生成するよう構成され得る。ブレンドすることは、いわゆるアルファブレンディングを実行することを伴ってもよい。アルファブレンディングにおいて、オブジェクト１２４、例えば、オブジェクト１２４のピクセル値、のマスク勾配１７３に対するコントリビューション（contribution）は、マスク１７２に向かう内側方向に対して低下するが、マスク１７２、例えば、マスク１７２のピクセル値、のマスク勾配１７３に対するコントリビューションは、前述の内側方向に対して増加する。プロセッサ１３０はまた、例えば、予め定められた幅及び／又は形状を有するように、予め定められたマスク勾配を出力画像１６３に挿入することにより、マスク勾配１７３を生成するよう構成され得る。
【００５０】
一般に、プロセッサ１３０は、出力画像１６３を表示するために使用されるズーム率に基づいて、又は、例えば、仮想的な拡大鏡を用いて出力画像１６３の一部分を表示するために使用されるズーム率に基づいて、マスク勾配１７３の幅及び／又は形状を決定又は変更するよう構成され得る。さらに、プロセッサ１３０は、出力画像１６３内のマスク勾配１７３の位置に基づいて、マスク勾配１７３の幅及び／又は形状を決定又は変更するよう構成され得る。例えば、マスク勾配１７３が、出力画像１６３のエッジに位置する場合、マスク勾配１７３の幅は、ゼロであってよい。
【００５１】
ユーザ入力部１４０は、ユーザがマスク勾配１７３の幅及び／又は形状を決定できるよう構成され得る。ユーザインタフェースコマンド１４２は、マスク勾配１７３の幅及び／又は形状を示すものであってよい。前述の幅及び／又は形状は、ユーザ入力部１４０から、選択データ１４４の形態で、プロセッサ１３０により受信され得る。形状は、マスク１７２及び／又はオブジェクト１２４の実際の外観に適応され得る。例えば、ユーザが、マスク勾配１７３を「Ｓ」形状に決定した場合、「Ｓ」形状の最大値及び／又は最小値は、マスク１７２及び／又はオブジェクト１２４の外観に対応するよう設定され得る。例えば、形状は、マスク１７２の輝度とオブジェクト１２４の輝度との間の段階的変化を得るために、スケーリングされてもよいし、調整されてもよい。
【００５２】
図７ａは、隣接して提供されている４つの医用画像、すなわち、結合医用画像１６５を示している。この医用画像は、マンモグラフィ画像であり、様々な視点の患者の乳房を示している。全てのマンモグラフィ画像において、乳房インプラント１２５〜１２８の形態のオブジェクトが目に見える。マンモグラフィ画像を取得する際に使用されるイメージングモダリティの結果として、乳房インプラント１２５〜１２８は、明るいオブジェクトとして現れる。医用画像１６５を見ているユーザは、明るいオブジェクトとして現れている乳房インプラントにより妨げられ得る。例えば、医用画像１６５を検討するために使用される読影暗環境に対するユーザの適応は、妨げられ得る。その結果、ユーザは、乳房インプラント１２５〜１２８に隣接する詳細を識別することができない場合がある。
【００５３】
図７ｂは、本発明に従ってマスクされている乳房インプラント１２５〜１２８の結果を示している。したがって、乳房インプラント１２５〜１２８のバルクは、結合出力画像１６６内にある出力画像の各々において、マスク１７５〜１７８によりマスクされている。さらに、乳房インプラント１２５〜１２８の境界領域は、目に見えるままである。
【００５４】
図８ａ、図８ｂ、及び図９は、上記のマスキングのより詳細な結果を示している。図８ａは、図７ａの切抜図１６７を示しており、図８ｂは、図７ｂの切抜図１６８を示している。図８ａにおいて、乳房インプラント１２５、及び、乳房インプラント１２５と周囲の組織との間の勾配１９２が目に見える。図８ｂは、マスク１７５によりマスクされている乳房インプラント１２５のボディを示しており、乳房インプラント１２５の境界領域１９３が目に見える。さらに、マスク１７５と乳房インプラント１２５との間の追加の勾配１９４が目に見える。最後に、線分１９０が示されている。図９は、線分１９０に沿った位置の関数として、切抜図１６８の強度（intensity）のプロットを示している。周囲の組織１９１、周囲の組織１９１と乳房インプラントとの間の勾配１９２、乳房インプラントの境界領域１９３、乳房インプラントとマスク１９５との間の追加の勾配１９４、及びマスク１９５が目に見える。ここで、周囲の組織１９１は、低強度を有しており、勾配１９２では、強度が徐々に増大しており、乳房インプラントの境界領域１９３は、高強度を有しており、追加の勾配１９４では、強度が徐々に低下しており、マスク１９５は、中間強度から低強度を有している。
【００５５】
図８ａ、図８ｂ、及び図９に示された結果を得るために、プロセッサ１３０は、オブジェクト１２５とオブジェクト１２５の周囲との間の段階的変化を構成するオブジェクト勾配１９２を画像内で検出して、マスク１７５とオブジェクト勾配１９２との間のオブジェクト１２５の境界領域１９３を明瞭に保つよう構成され得る。これは、図９において、オブジェクト１２５の境界領域１９３が、オブジェクト勾配１９２とは分離されているものとして目に見える。オブジェクト勾配１９２を検出することは、エッジ検出技術を用いて、エッジの幅をオブジェクト勾配１９２としてマークすること、すなわち、エッジが徐々に増大する領域をオブジェクト勾配１９２としてマークすることを含み得る。さらに、プロセッサ１３０は、画像内のオブジェクト勾配１９２を検出するよう構成され得、出力画像内でオブジェクト勾配１９２とマスク勾配１９４とを視覚的に区別するために、オブジェクト勾配１９２とは幅及び／又は形状が異なるマスク勾配１９４を生成するよう構成され得る。図９の例において、マスク勾配１９４は、オブジェクト勾配１９２よりも大きな幅を有するものとして、示されている。しかしながら、両方の勾配の形状は、図９において類似している、すなわち、線形勾配であるが、これらの勾配は、例えば、線形勾配と非線形勾配であるように、異なってもよい。
【００５６】
一般に、用語「画像」は、２次元（２−Ｄ）画像又は３次元（３−Ｄ）画像などの多次元画像を指す。ここで、用語「３−Ｄ画像」は、体積画像（volumetric  image）、すなわち、３つの空間的ディメンジョンを有する画像を指す。画像は、画像要素（image  elements）から構成される。画像が２−Ｄ画像である場合、画像要素は、いわゆるピクチャ要素、すなわち、ピクセルであってよい。画像が体積画像である場合、画像要素は、いわゆる体積ピクチャ要素（volumetric  picture  elements）、すなわち、ボクセルであってよい。画像要素に関する用語「値」は、その画像要素に割り当てられる表示可能な特性（displayable  property）を指し、例えば、ピクセルの値は、そのピクセルの輝度及び／又はクロミナンスを表してもよいし、体積画像内のボクセルの不透明度又は半透明性を示してもよい。
【００５７】
本発明は、コンピュータプログラム、特に本発明を実現するのに適したキャリア上又はキャリア内のコンピュータプログラムにも適用されることを理解されたい。プログラムは、ソースコード、オブジェクトコード、例えば部分的にコンパイルされた形式のコード中間ソース及びオブジェクトコードの形態、又は、本発明に従った方法を実装する際に使用されるのに適した任意の他の形態であってよい。このようなプログラムは、多くの異なるアーキテクチャデザインを有してもよいことも理解されたい。例えば、本発明に従った方法又はシステムの機能を実装するプログラムコードは、１以上のサブルーチンに分割されてもよい。これらのサブルーチンに機能を分散させる多くの異なる方法が、当業者には明らかであろう。サブルーチンを１つの実行可能ファイルに一緒に記憶して、自己完結型プログラムを形成してもよい。このような実行可能ファイルは、例えば、プロセッサ命令及び／又はインタプリタ命令（例えば、Ｊａｖａ（登録商標）インタプリタ命令）などのコンピュータ実行可能命令を含んでもよい。代替として、サブルーチンの１以上又は全てが、少なくとも１つの外部ライブラリファイルに記憶され、静的に又は例えばランタイムに動的にメインプログラムとリンクされてもよい。メインプログラムは、サブルーチンの少なくとも１つへの少なくとも１つのコールを含む。サブルーチンはまた、相互へのファンクションコールを含んでもよい。コンピュータプログラム製品に関連する実施形態は、本明細書で説明した方法の少なくとも１つの各処理ステップに対応するコンピュータ実行可能命令を含む。これらの命令は、サブルーチンに分割されてもよいし、且つ／又は、静的に若しくは動的にリンクされ得る１以上のファイルに記憶されてもよい。コンピュータプログラム製品に関連する別の実施形態は、本明細書で説明したシステム及び／又は製品の少なくとも１つの各手段に対応するコンピュータ実行可能命令を含む。これらの命令は、サブルーチンに分割されてもよいし、且つ／又は、静的に若しくは動的にリンクされ得る１以上のファイルに記憶されてもよい。
【００５８】
コンピュータプログラムのキャリアは、プログラムを有することができる任意のエンティティ又はデバイスであってよい。例えば、キャリアは、例えば、ＣＤ  ＲＯＭ若しくは半導体ＲＯＭなどのＲＯＭ、又は、例えば、ハードディスクなどの磁気記録媒体などの記憶媒体を含み得る。さらに、キャリアは、電気ケーブル若しくは光ケーブルを介して、又は、無線若しくは他の手段によって伝達され得る電気信号又は光信号などの伝搬性キャリアであってもよい。プログラムがこのような信号で具体化される場合、キャリアは、このようなケーブル又は他のデバイス若しくは手段によって構成されてもよい。代替として、キャリアは、プログラムが組み込まれる集積回路であってもよく、集積回路は、関連方法を実行する、あるいは、その実行において使用されるのに適している。
【００５９】
上述の実施形態は、本発明を限定するのではなく例示するものであり、当業者は、添付の特許請求の範囲から逸脱することなく多くの代替的実施形態を設計することができることに留意すべきである。請求項中、括弧の間に配置されるいかなる参照符号も請求項を限定するものと解釈されてはならない。動詞「備える（comprise）」とその活用形の使用は、請求項に列挙した以外の要素又はステップの存在を除外しない。ある要素に先行する冠詞「ａ」又は「ａｎ」は、このような要素の複数の存在を除外しない。本発明は、複数の個別の要素を備えるハードウェアによって実装されてもよいし、適切にプログラムされたコンピュータによって実装されてもよい。複数の手段を列挙する装置の請求項において、これらの手段のいくつかは、ハードウェアの１つの同じアイテムによって具体化されてもよい。所定の手段が相互に異なる従属請求項に記載されるという単なる事実は、これらの手段の組合せが有利に使用され得ないことを示すものではない。
【図１】
2015504560.tif 000003
【図２】
2015504560.tif 000004
【図３】
2015504560.tif 000005
【図４ａ】
2015504560.tif 000006
【図４ｂ】
2015504560.tif 000007
【図５ａ】
2015504560.tif 000008
【図５ｂ】
2015504560.tif 000009
【図６ａ】
2015504560.tif 000010
【図６ｂ】
2015504560.tif 000011
【図７ａ】
2015504560.tif 000012
【図７ｂ】
2015504560.tif 000013
【図８ａ】
2015504560.tif 000014
【図８ｂ】
2015504560.tif 000015
【図９】
2015504560.tif 000016
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
オブジェクトにマスクを適用する画像処理装置であって、
画像を取得するための入力部と、
（ｉ）前記画像内の前記オブジェクトを検出し、（ｉｉ）出力画像を取得するために、前記画像内の前記オブジェクトに前記マスクを適用するためのプロセッサと、
前記出力画像をディスプレイに提供するための出力部と、
を備え、
前記プロセッサは、（ｊ）前記オブジェクトのオブジェクト輪郭を設定し、（ｊｊ）前記オブジェクト輪郭に基づいて、前記オブジェクトよりも小さなマスクを生成し、（ｊｊｊ）前記オブジェクトの境界領域を明瞭に保ったまま前記出力画像内で前記オブジェクトのボディをマスクするために前記オブジェクトを覆うように前記マスクを配置することにより、前記オブジェクトに前記マスクを適用するよう構成されている、画像処理装置。
【請求項２】
前記プロセッサは、前記マスクのマスク輪郭を取得するために、前記オブジェクトの内側方向に沿って前記オブジェクト輪郭のサイズを小さくすることにより、前記マスクを生成するよう構成されている、請求項１記載の画像処理装置。
【請求項３】
前記プロセッサは、モルフォロジカルエロージョン技術を前記オブジェクト輪郭に対して適用することにより、前記オブジェクト輪郭のサイズを小さくするよう構成されている、請求項２記載の画像処理装置。
【請求項４】
前記プロセッサは、前記オブジェクトと該オブジェクトの周囲との間の段階的変化を構成するオブジェクト勾配を前記画像内で検出して、前記マスクと前記オブジェクト勾配との間の前記オブジェクトの前記境界領域、及び前記オブジェクト勾配を明瞭に保つよう構成されている、請求項１記載の画像処理装置。
【請求項５】
前記プロセッサは、ディスプレイ上に前記出力画像を表示する場合、２ｍｍ〜１０ｍｍの表示幅を有する前記オブジェクトの前記境界領域を設定するよう構成されている、請求項１記載の画僧処理装置。
【請求項６】
ユーザが前記出力画像を拡大縮小するためのズーム率を決定できるようにするユーザ入力部
をさらに備え、
前記プロセッサは、前記ズーム率に基づいてディスプレイ上に前記出力画像を表示する場合において前記オブジェクトの前記境界領域の表示幅を維持するために、前記ズーム率に基づいて前記マスクを生成するよう構成されている、請求項１記載の画像処理装置。
【請求項７】
前記プロセッサは、前記マスクと前記オブジェクトとの間で段階的変化を設定するために、前記オブジェクトに前記マスクを適用する場合において、前記出力画像内でマスク勾配を生成するよう構成されている、請求項１記載の画像処理装置。
【請求項８】
前記プロセッサは、前記マスクの境界領域を前記オブジェクトとブレンドすることにより、前記マスク勾配を生成するよう構成されている、請求項７記載の画像処理装置。
【請求項９】
前記プロセッサは、（ｉ）前記オブジェクトと該オブジェクトの周囲との間の段階的変化を構成するオブジェクト勾配を前記画像内で検出し、（ｉｉ）前記出力画像内で前記オブジェクト勾配と前記マスク勾配とを視覚的に区別するために前記オブジェクト勾配とは幅及び／又は形状が異なる前記マスク勾配を生成するよう構成されている、請求項７記載の画像処理装置。
【請求項１０】
ユーザが前記マスク勾配の前記幅及び／又は前記形状を決定できるようにするユーザ入力部
をさらに備えた、請求項７記載の画像処理装置。
【請求項１１】
前記プロセッサは、前記オブジェクトの前記ボディの輝度及び／又はコントラストを低減することにより、前記オブジェクトの前記ボディをマスクするよう構成されている、請求項１記載の画像処理装置。
【請求項１２】
請求項１記載の画像処理装置を備えたワークステーション。
【請求項１３】
請求項１記載の画像処理装置を備えたイメージング装置。
【請求項１４】
オブジェクトにマスクを適用する方法であって、
画像を取得するステップと、
前記画像内の前記オブジェクトを検出するステップと、
出力画像を取得するために、（ｊ）前記オブジェクトのオブジェクト輪郭を設定し、（ｊｊ）前記オブジェクト輪郭に基づいて、前記オブジェクトよりも小さなマスクを生成し、（ｊｊｊ）前記オブジェクトの境界領域を明瞭に保ったまま前記出力画像内で前記オブジェクトのボディをマスクするために前記オブジェクトを覆うように前記マスクを配置することにより、前記画像内の前記オブジェクトに前記マスクを適用するステップと、
前記出力画像をディスプレイに提供するステップと、
を含む、方法。
【請求項１５】
プロセッサシステムに請求項１４記載の方法を実行させるための命令を含むコンピュータプログラム。
【国際調査報告】
2015504560.tif 000017
2015504560.tif 000018
2015504560.tif 000019